(57)【要約】【課題】オイルジェットの作動不良を確実に判定する事が出来ると共に作動不良と判定されたオイルジェットを搭載した気筒を確実に休止させる事が出来るエンジン制御装置を提供する。【解決手段】各気筒１０３にオイルジェット１０１を搭載した気筒休止エンジン１０５を制御するエンジン制御装置１００に於いて、オイルジェット噴射指示時とオイルジェット停止指示時の筒内圧力変化を基にオイルジェット１０１の作動不良を判定する判定部１０２と、を備える事によって課題を解決する事が出来る。【選択図】図１
2019124151.tif 000002
【特許請求の範囲】
【請求項１】
各気筒にオイルジェットを搭載した気筒休止エンジンを制御するエンジン制御装置に於いて、
オイルジェット噴射指示時とオイルジェット停止指示時の筒内圧力変化を基にオイルジェットの作動不良を判定する判定部と、
を備える
事を特徴とするエンジン制御装置。
【請求項２】
前記判定部は、オイルジェット噴射指示時の筒内圧力の立ち上がり時期とオイルジェット停止指示時の筒内圧力の立ち上がり時期とを比較しオイルジェットの作動不良を判定する
請求項１に記載のエンジン制御装置。
【請求項３】
前記判定部は、オイルジェット噴射指示時の筒内圧力の立ち上がり時期とオイルジェット停止指示時の筒内圧力の立ち上がり時期との乖離が判定閾範囲内の場合にオイルジェットの作動不良と判定する
請求項２に記載のエンジン制御装置。
【請求項４】
各気筒にオイルジェットを搭載した気筒休止エンジンを制御するエンジン制御装置に於いて、
オイルジェット噴射指示時とオイルジェット停止指示時の熱発生率変化を基にオイルジェットの作動不良を判定する判定部と、
を備える
事を特徴とするエンジン制御装置。
【請求項５】
前記判定部は、オイルジェット噴射指示時の熱発生率の立ち上がり時期とオイルジェット停止指示時の熱発生率の立ち上がり時期とを比較しオイルジェットの作動不良を判定する
請求項４に記載のエンジン制御装置。
【請求項６】
前記判定部は、オイルジェット噴射指示時の熱発生率の立ち上がり時期とオイルジェット停止指示時の熱発生率の立ち上がり時期との乖離が判定閾範囲内の場合にオイルジェットの作動不良と判定する
請求項５に記載のエンジン制御装置。
【請求項７】
前記判定部は、エンジン運転状態安定時にオイルジェットの作動不良を判定する
請求項１乃至６の何れか一項に記載のエンジン制御装置。
【請求項８】
前記判定部が作動不良と判定したオイルジェットに関連する気筒を休止させる休止部を更に備える
請求項１乃至７の何れか一項に記載のエンジン制御装置。
【発明の詳細な説明】
【技術分野】
【０００１】
本開示は、オイルジェットを搭載した気筒休止エンジンを制御するエンジン制御装置に関する。
【背景技術】
【０００２】
各気筒にオイルジェットを搭載した気筒休止エンジンを制御するエンジン制御装置が知られている（例えば、特許文献１を参照）。従来のエンジン制御装置では、オイルジェットのオイル圧力と作動状態とを基にオイルジェットの作動不良を判定し、作動不良と判定したオイルジェットに関連する気筒を休止させている。
【先行技術文献】
【特許文献】
【０００３】
【特許文献１】特開２００２−８９３１０号公報
【特許文献２】特開２００６−１４４７５７号公報
【発明の概要】
【発明が解決しようとする課題】
【０００４】
然し乍ら、従来のエンジン制御装置では、オイルジェットの作動状態を検出する際にギャップセンサを使用している為、例えば、ギャップセンサの後段でオイル漏れが発生している場合は、オイルジェットのオイル圧力と作動状態とに異常は見られず、オイルジェットの作動不良を判定する事は出来ない。
【０００５】
以上の事情に鑑み、本開示は、オイルジェットの作動不良を確実に判定する事が出来るエンジン制御装置を提供する事を目的とする。
【課題を解決するための手段】
【０００６】
本発明の態様は、各気筒にオイルジェットを搭載した気筒休止エンジンを制御するエンジン制御装置に於いて、オイルジェット噴射指示時とオイルジェット停止指示時の筒内圧力変化を基にオイルジェットの作動不良を判定する判定部と、を備えるエンジン制御装置を提供する。
【０００７】
前記判定部は、オイルジェット噴射指示時の筒内圧力の立ち上がり時期とオイルジェット停止指示時の筒内圧力の立ち上がり時期とを比較しオイルジェットの作動不良を判定する事が望ましい。
【０００８】
前記判定部は、オイルジェット噴射指示時の筒内圧力の立ち上がり時期とオイルジェット停止指示時の筒内圧力の立ち上がり時期との乖離が判定閾範囲内の場合にオイルジェットの作動不良と判定する事が望ましい。
【０００９】
また、本発明の態様は、各気筒にオイルジェットを搭載した気筒休止エンジンを制御するエンジン制御装置に於いて、オイルジェット噴射指示時とオイルジェット停止指示時の熱発生率変化を基にオイルジェットの作動不良を判定する判定部と、前記判定部が作動不良と判定したオイルジェットに関連する気筒を休止させる休止部と、を備えるエンジン制御装置を提供する。
【００１０】
前記判定部は、オイルジェット噴射指示時の熱発生率の立ち上がり時期とオイルジェット停止指示時の熱発生率の立ち上がり時期とを比較しオイルジェットの作動不良を判定する事が望ましい。
【００１１】
前記判定部は、オイルジェット噴射指示時の熱発生率の立ち上がり時期とオイルジェット停止指示時の熱発生率の立ち上がり時期との乖離が判定閾範囲内の場合にオイルジェットの作動不良と判定する事が望ましい。
【００１２】
前記判定部は、エンジン運転状態安定時にオイルジェットの作動不良を判定する事が望ましい。
【００１３】
前記判定部が作動不良と判定したオイルジェットに関連する気筒を休止させる休止部を更に備える事が望ましい。
【発明の効果】
【００１４】
本発明の態様によって、オイルジェットの作動不良を確実に判定する事が出来るエンジン制御装置を提供する事が出来る。
【図面の簡単な説明】
【００１５】
【図１】本発明の実施の形態に係るエンジン制御装置の概略構成図を示す。
【図２】オイルジェット噴射時とオイルジェット停止時の筒内圧力変化と熱発生率変化のタイミング図を示す。
【図３】本発明の実施の形態に係るエンジン制御装置の動作フロー図を示す。
【発明を実施するための形態】
【００１６】
以下、本発明の実施の形態を添付図面に順って説明する。
【００１７】
図１に示す様に、本発明の実施の形態に係るエンジン制御装置１００は、オイルジェット噴射指示時とオイルジェット停止指示時の筒内圧力変化（又は熱発生率（ＲＯＨＲ）変化）を基にオイルジェット１０１の作動不良を判定する判定部１０２と、判定部１０２が作動不良と判定したオイルジェット１０１に関連する気筒１０３を休止させる休止部１０４と、を備える。
【００１８】
エンジン制御装置１００は、気筒休止エンジン１０５を制御する。気筒休止エンジン１０５は、所定のエンジン運転状態時（例えば、低負荷運転時、アイドル運転時）に一部又は全部の気筒１０３を個々に休止させる機能を搭載する。オイルジェット１０１は、各気筒１０３に搭載される。判定部１０２と休止部１０４は、例えば、エンジンコントロールユニット１０６に搭載される。
【００１９】
オイルジェット１０１は、例えば、シリンダブロック内のオイルギャラリを循環するエンジンオイルの一部を各気筒１０３に設置したオイルジェットノズルを含むオイル通路を通じピストンに噴射する事によってピストンの冷却と潤滑とを促進させる。オイルジェット噴射とオイルジェット停止は、オイル通路に設置した電磁バルブを開閉する事によって切り替えられる。オイルジェット噴射時はオイルを常に噴射している状態と成り、ピストンにオイルが供給されるタイミングは下死点と成る（尚、以下に説明する図２に於いては、下死点近傍の範囲は示されない）。
【００２０】
本明細書に於いては、電磁バルブを開く為にオイルジェット噴射指示パルス（電圧又は電流）を印加する事をオイルジェット噴射指示と指称すると共に電磁バルブを閉じる為にオイルジェット噴射指示パルス（電圧又は電流）を印加しない事をオイルジェット停止指示と指称する。尚、燃料噴射に関し、燃料インジェクタを開く為に印加する電圧又は電流を燃料噴射指示パルスと指称する。
【００２１】
図２に示す様に、オイルジェット噴射時とオイルジェット停止時の所定のクランク角度に於ける筒内圧力変化（又は熱発生率変化）を比較すると、オイルジェット噴射時は、ピストンの冷却が促進される為、オイルジェット停止時と比較し筒内圧力（又は熱発生率）の立ち上がり時期が遅れる事が分かる。換言すると、筒内圧力変化（又は熱発生率変化）を監視する事によってオイルジェット噴射時とオイルジェット停止時とを明確に判別する事が出来る。
【００２２】
更に言うと、オイルジェットに作動不良が生じた場合は、オイルジェット停止時と同様の筒内圧力変化（又は熱発生率変化）が生じる為、オイルジェット噴射指示が有ったのにも拘わらずオイルジェット停止時と同様の筒内圧力変化（又は熱発生率変化）が生じる場合は、オイルジェット１０１の作動不良と判定する事が出来る。
【００２３】
従って、エンジン制御装置１００に於いては、判定部１０２がオイルジェット噴射指示時の筒内圧力（又は熱発生率）の立ち上がり時期とオイルジェット停止指示時の筒内圧力（又は熱発生率）の立ち上がり時期とを比較する事によってオイルジェットの作動不良を判定する。
【００２４】
具体的に言うと、判定部１０２は、オイルジェット噴射指示時の筒内圧力（又は熱発生率）の立ち上がり時期とオイルジェット停止指示時の筒内圧力（又は熱発生率）の立ち上がり時期との乖離（例えば、クランク角度のオフセット（着火遅れ具合））が判定閾範囲内の場合（例えば、オイルジェット停止指示時の筒内圧力（又は熱発生率）の立ち上がり時のクランク角度に対しオイルジェット噴射指示時の筒内圧力（又は熱発生率）の立ち上がり時のクランク角度が＋１度以上＋２度以下の範囲に於いて遅れている場合）にオイルジェット１０１の作動不良と判定する。
【００２５】
尚、筒内圧力（又は熱発生率）の立ち上がり時期は、例えば、筒内圧力センサ１０７とクランク角度センサ１０８の検出値を基に計算する。また、判定閾範囲は、オイルジェット噴射時とオイルジェット停止時とを区別する事が出来る様にエンジンの種類毎に適宜設定する事が出来る。
【００２６】
筒内圧力（又は熱発生率）の立ち上がり時期を計算する際は、クランク角度に代え時間を使用する事も出来る。具体的に言うと、燃料噴射指示を出した時点（例えば、燃料噴射指示パルスの立ち上がり時点Ａ）を基準に筒内圧力（又は熱発生率）が立ち上がりが生じる迄の時間を測定し、筒内圧力（又は熱発生率）の立ち上がり時期を計算する事も出来る。
【００２７】
判定部１０２は、公差や外乱の影響を排除し判定精度を向上させる為に、オイルジェット噴射指示とオイルジェット停止指示とを複数回に亘って繰り返し、オイルジェット噴射指示時の筒内圧力（又は熱発生率）の立ち上がり時期とオイルジェット停止指示時の筒内圧力（又は熱発生率）の立ち上がり時期との乖離を判定閾範囲と比較する事が望ましい。
【００２８】
例えば、判定部１０２は、オイルジェット噴射指示とオイルジェット停止指示とを複数回に亘って繰り返した時のオイルジェット噴射指示時の筒内圧力（又は熱発生率）の立ち上がり時期とオイルジェット停止指示時の筒内圧力（又は熱発生率）の立ち上がり時期との乖離を判定閾範囲と都度比較しても構わない。
【００２９】
また、判定部１０２は、オイルジェット噴射指示とオイルジェット停止指示とを複数回に亘って繰り返した時のオイルジェット噴射指示時の筒内圧力（又は熱発生率）の立ち上がり時期とオイルジェット停止指示時の筒内圧力（又は熱発生率）の立ち上がり時期との乖離の平均値を判定閾範囲と一度のみ比較しても構わない。
【００３０】
何れを採用する場合であっても、オイルジェット噴射指示とオイルジェット停止指示とを一度のみ繰り返した時のオイルジェット噴射指示時の筒内圧力（又は熱発生率）の立ち上がり時期とオイルジェット停止指示時の筒内圧力（又は熱発生率）の立ち上がり時期との乖離を判定閾範囲と一度のみ比較する場合と比較し判定精度を向上させる事が出来る。
【００３１】
更に、判定部１０２は、エンジン運転状態安定時にオイルジェットの作動不良を判定する。エンジン運転状態安定時以外にオイルジェットの作動不良を判定すると、エンジン運転状態の変動に伴い筒内圧力（又は熱発生率）の立ち上がり時期も変動し、正確な比較が出来なく成る虞が有る為である。
【００３２】
エンジン運転状態安定時とは、筒内圧力（又は熱発生率）の立ち上がり時期の変動をもたらす可能性が有るパラメータ（例えば、エンジン回転速度、アクセル開度、エンジン冷却水温度、オイル温度、オイル圧力）が安定している時（例えば、アイドル運転時、定常運転時）を意味する。
【００３３】
尚、所定のエンジン運転状態時に（同一条件に於いて）のみ判定を行う場合は、オイルジェット噴射停止時の筒内圧力（又は熱発生率）の立ち上がり時期は、常に一定と成る為、都度計算する必要は無い。
【００３４】
オイルジェット停止指示時の筒内圧力（又は熱発生率）の立ち上がり時期を予め設定しておく事によって、オイルジェット１０１の作動不良を判定する時に、オイルジェット停止指示時の筒内圧力（又は熱発生率）の立ち上がり時期を都度計算する必要が無く成り、オイルジェット１０１の作動不良を判定するのに掛かる時間を短縮する事が出来る。
【００３５】
但し、実際は所定のエンジン運転状態時に（同一条件に於いて）のみ判定を行う事は困難である為、オイルジェット噴射指示時の筒内圧力（又は熱発生率）の立ち上がり時期もオイルジェット停止指示時の筒内圧力（又は熱発生率）の立ち上がり時期と同様に都度計算する事が望ましい。
【００３６】
休止部１０４は、判定部１０２が作動不良と判定したオイルジェット１０１に関連する気筒１０３を休止させ、判定部１０２が作動不良と判定しなかったオイルジェット１０１に関連する気筒１０３を休止させない。
【００３７】
具体的に言うと、図３に示す様に、エンジン制御装置１００は、ステップＳ１０１に於いて判定部１０２がエンジン運転状態安定時か否かを判定する。判定部１０２がエンジン運転状態安定時と判定した場合は、ステップＳ１０２に進み、判定部１０２がエンジン運転状態安定時と判定しなかった場合は、ステップＳ１０１を繰り返す。
【００３８】
次のステップＳ１０２に於いて判定部１０２がオイルジェット噴射指示を出すと共にオイルジェット噴射指示時の筒内圧力（又は熱発生率）の立ち上がり時期を計算する。また、次のステップＳ１０３に於いて判定部１０２がオイルジェット停止指示を出すと共にオイルジェット停止指示時の筒内圧力（又は熱発生率）の立ち上がり時期を計算する。
【００３９】
しかる後、ステップＳ１０４に於いて判定部１０２がオイルジェット噴射指示時の筒内圧力（又は熱発生率）の立ち上がり時期とオイルジェット停止指示時の筒内圧力（又は熱発生率）の立ち上がり時期との乖離を判定閾範囲と比較する。
【００４０】
オイルジェット噴射指示時の筒内圧力（又は熱発生率）の立ち上がり時期とオイルジェット停止指示時の筒内圧力（又は熱発生率）の立ち上がり時期との乖離が判定閾範囲内の場合は、オイルジェット１０１の作動不良と判定しステップＳ１０５に進み、オイルジェット噴射指示時の筒内圧力（又は熱発生率）の立ち上がり時期とオイルジェット停止指示時の筒内圧力（又は熱発生率）の立ち上がり時期との乖離が判定閾範囲外の場合は、ステップＳ１０１に戻る。
【００４１】
最後のステップＳ１０５に於いて休止部１０４が判定部１０２が作動不良と判定したオイルジェット１０１に関連する気筒１０３を休止させる。尚、ステップＳ１０２とステップＳ１０３は、順序を問わない。また、ステップＳ１０２乃至Ｓ１０５は、各気筒１０３に於いて個々に行われる。
【００４２】
以上に説明した様に、エンジン制御装置１００によれば、ピストンの冷却と潤滑に異常を来している気筒１０３を正確に判別し、ピストンの冷却と潤滑に異常を来している気筒１０３を休止させる事が出来る。ピストンの冷却と潤滑に異常を来している気筒１０３を休止させ、異常を来していない気筒１０３は休止させないようにすると、エンジンの重大な破損（例えば、焼き付き）を防止しながら、少なくともある程度の期間（例えば、整備工場に入庫する迄の期間）に亘って自動車を自走させる事が出来る。
【００４３】
従って、本発明の実施の形態によって、オイルジェット１０１の作動不良を確実に判定する事が出来るエンジン制御装置１００を提供する事が出来る。
【符号の説明】
【００４４】
１００  エンジン制御装置
１０１  オイルジェット
１０２  判定部
１０３  気筒
１０４  休止部
１０５  気筒休止エンジン
１０６  エンジンコントロールユニット
１０７  筒内圧力センサ
１０８  クランク角度センサ
【図１】
2019124151.tif 000003
【図２】
2019124151.tif 000004
【図３】
2019124151.tif 000005